(57)【要約】【課題】不正な開封の痕跡が残るとともに不正な開封がより困難な基板ケースを提供する。【解決手段】第１ケース１０と第２ケース２０とを組み合わせて制御基板２Ｂを収納する基板ケース２Ａであって、第２ケース２０に設けられた凹状の第２固定部２２の内部に、第１ケースに設けられた板状の第１固定部１２を溶着により固定し、第２ケース２０には、第２固定部２２の開放部を塞ぎ第１固定部１２を覆うカバー部材３０を溶着により固定する。【選択図】図１５
2016043158.tif 000002
【特許請求の範囲】
【請求項１】
第１ケースと第２ケースとを組み合わせて制御基板を収納する基板ケースであって、
第１ケースの外周から外側に張り出す第１固定部と、
第２ケースに設けられ、第１ケースと第２ケースとを組み合わせた状態で第１固定部を内部に設置可能な開放部を有する凹状の第２固定部と、
第１固定部を覆い第２固定部の開放部を塞ぐように第２ケースに装着されるカバー部材と、を備え、
第１ケースと第２ケースとを組み合わせた状態で、第１固定部に設けられた第１固定面と凹状の第２固定部の凹底面に設けられた第２固定面とが溶着により固定され、カバー部材を第２ケースに装着した状態で、カバー部材に設けられたカバー固定面と第２固定部を含む第２ケースに設けられた第２カバー固定面とが溶着により固定されることを特徴とする基板ケース。
【請求項２】
カバー部材は、第２ケースに装着された状態で第２固定部の凹底面側に張り出す枠状の囲い部を備え、
第１ケースと第２ケースとを組み合わせ、カバー部材を第２ケースに装着した状態で、カバー部材の囲い部が第２固定部の凹底面を囲む立壁と第１固定部との間に位置し、第１固定部の周囲を囲むように形成され、
カバー固定面である囲い部の端面と、第２固定面の周囲に位置する第２カバー固定面とが、溶着により固定されるように形成されていることを特徴とする請求項１記載の基板ケース。
【請求項３】
第１固定部には、中心軸が第１固定面と直交する貫通孔が設けられ、
カバー部材、第２固定部の少なくともいずれか一方には、第１固定部の貫通孔を貫通する貫通突起が設けられていることを特徴とする請求項１又は２記載の基板ケース。
【請求項４】
制御基板には、基板ケースの外にある他の部品と電気的な接続を行うための接続線が接続されたコネクタが装着され、
第１ケース、第２ケースの少なくともいずれか一方には、接続線を基板ケースの外部に導出するための導出部が設けられ、
第１ケースと第２ケースとを組み合わせ固定した状態で、コネクタ及びコネクタに接続された接続線の一部が基板ケース内部に封入されることを特徴とする請求項１乃至３のいずれか１項に記載の基板ケース。
【請求項５】
第１ケース及び第２ケースは、制御基板の基板面と平行な方向にスライドさせて組み合わせ可能であり、
第１固定面、第２固定面の少なくともいずれか一方には、第１ケース及び第２ケースを組み合わせた状態で第１固定面と第２固定面との間に隙間を生じさせる突起部が設けられているとともに、第１ケースと第２ケースを組み合わせた状態で突起部を溶解させることにより、第１固定面と第２固定面とが溶着されるように形成され、
第１ケースには係止部が設けられ、第２ケースには、係止部と係止可能な被係止部が設けられ、
係止部及び被係止部は、第１ケース及び第２ケースを固定方向にスライドさせるときには、第１固定面と第２固定面との間に隙間があることにより互いに干渉せず、第１ケース及び第２ケースを組み合わせ第１固定面と第２固定面とを溶着することにより互いに係止可能な位置となって、第１ケース及び第２ケースの固定解除方向への移動を規制可能に形成されていることを特徴とする請求項１乃至４のいずれか１項に記載の基板ケース。
【請求項６】
カバー部材は、凹状の第２固定部に嵌め込み可能に形成され、
カバー固定面と第２カバー固定面とが溶着された状態で、カバー部材の外面が、第２ケースの外面よりも外側に突出しないように形成されていることを特徴とする請求項１乃至５のいずれか１項に記載の基板ケース。
【発明の詳細な説明】
【技術分野】
【０００１】
この発明は、制御基板を収納する基板ケース及びこの基板ケースを備えた遊技機に関するものである。
【背景技術】
【０００２】
スロットマシンなどの遊技機は、遊技機の作動を制御するための制御基板を備えており、制御基板は、基板ケースに収納された状態で遊技機内部の所定位置に取り付けられるようになっている。基板ケースとしては、一般的に、プラスチック製のものが用いられる。
ここで、遊技機の作動を制御する制御基板は、不正が行われないように密閉性が求められるとともに、不正に開封された場合にはその痕跡が残るようにしてある。例えば、特許文献１には、基板ケースを構成する２つのケース部材の接合部を、超音波溶着によって溶着して固定するとともに、当該溶着面に刃物等を差し込んで溶着面を剥がすことができないように、２つのケース部材の接合面の周辺部に、ケースを封止状態にしたときに係合する凹凸を設けることが記載されている。
【先行技術文献】
【特許文献】
【０００３】
【特許文献１】特許第５４５７７６６号公報
【発明の概要】
【発明が解決しようとする課題】
【０００４】
本発明は、上記した従来技術を踏まえた上で、不正な開封の痕跡が残るとともに不正な開封がより困難な基板ケースを提供することを目的とする。
【課題を解決するための手段】
【０００５】
本願発明は、第１ケース１０と第２ケース２０とを組み合わせて制御基板（サブ基板２Ｂ）を収納する基板ケース（サブ基板ケース２Ａ）に係り、第１ケース１０の外周から外側に張り出す第１固定部１２と、第２ケース２０に設けられ、第１ケース１０と第２ケース２０とを組み合わせた状態で第１固定部１２を内部に設置可能な開放部を有する凹状の第２固定部２２と、第１固定部１２を覆い第２固定部２２の開放部を塞ぐように第２ケース２０に装着されるカバー部材３０と、を備えている。そして、第１ケース１０と第２ケース２０とを組み合わせた状態で、第１固定部１２に設けられた第１固定面（表面１２ａ）と凹状の第２固定部２２の凹底面２１ｅに設けられた第２固定面（台座面２３ａ）とが溶着により固定され、カバー部材３０を第２ケース２０に装着した状態で、カバー部材３０に設けられたカバー固定面（側板３２の端面３２ａ）と第２固定部２２を含む第２ケース２０に設けられた第２カバー固定面（凹底面２１ｅ）とが溶着により固定されることを特徴とする。
【０００６】
ここで、溶着は、超音波溶着装置を用いた溶着が好ましいが、その他の手法を用いたものでもよい。
本発明は、第１ケース１０と第２ケース２０を溶着により固定しているので、固定部分を破壊すると両方の固定面に破壊跡が残る。これにより、複数の製品の破壊されていない部品を組み合わせて一つの製品を作る不正行為を効果的に防止することができる。
また、本発明では、第１固定部１２が第２固定部２２の内部に配置されるようになっているので、第１ケース１０と第２ケース２０とを組み合わせたときに、固定するのに適正な固定位置となっていることを第１固定部１２と第２固定部２２の位置関係により一見して確認できる。また、第１固定部１２が凹状の第２固定部２２に囲まれているので、第１固定部１２と第２固定部２２の接合面に刃物などを差し込んで溶着部分を切り取ることを困難にしている。さらに、第２ケース２０に、第１固定部１２を覆い第２固定部２２の開放部を塞ぐカバー部材３０を取り付けてあるので、第１固定部１２と第２固定部２２の固定解除をより困難にし、基板ケースの不正な開封を防止することができる。
【０００７】
ここで、カバー部材３０は、第２ケース２０に装着された状態で第２固定部２２の凹底面２１ｅ側に張り出す枠状の囲い部（側板３２）を備え、第１ケース１０と第２ケース２０とを組み合わせ、カバー部材３０を第２ケース２０に装着した状態で、カバー部材３０の囲い部が第２固定部２２の凹底面２１ｅを囲む立壁Ｒと第１固定部１２との間に位置し、第１固定部１２の周囲を囲むように形成され、カバー固定面である囲い部の端面（３２ａ）と、第２固定面２３ａの周囲に位置する第２カバー固定面とが、溶着により固定されるように形成されている。
このように形成することにより、囲い部が第１固定部１２と第２固定部２２の溶着部分へのアクセスを阻害し、基板ケースの不正な開封をより困難にすることができる。
【０００８】
また、第１固定部１２ａには、中心軸が第１固定面１２ａと直交する貫通孔１４が設けられ、カバー部材３０、第２固定部２２の少なくともいずれか一方には、第１固定部の貫通孔１４を貫通する貫通突起（ボス３４）が設けられている。このように形成すれば、貫通突起が第１固定部１２を係止するので、第１固定部１２と第２固定部をより強固に固定できる。
【０００９】
また、制御基板には、基板ケースの外にある他の部品と電気的な接続を行うための接続線（ハーネス４１）が接続されたコネクタ４０が装着され、第１ケース１０、第２ケース２０の少なくともいずれか一方には、接続線を基板ケースの外部に導出するための導出部（切欠部１７、凹部２７）が設けられ、第１ケース１０と第２ケース２０とを組み合わせ固定した状態で、コネクタ４０及びコネクタ４０に接続された接続線の一部が基板ケース内部に封入される。これにより、コネクタ４０の不正な着脱を防止することができる。
【００１０】
ここで、第１ケース１０及び第２ケース２０は、制御基板の基板面と平行な方向にスライドさせて組み合わせ可能であり、第１固定面１２ａ、第２固定面２３ａの少なくともいずれか一方には、第１ケース１０及び第２ケース２０を組み合わせた状態で第１固定面１２ａと第２固定面２３ａとの間に隙間を生じさせる突起部（突条１３）が設けられているとともに、第１ケース１０と第２ケース２０を組み合わせた状態で突起部を溶解させることにより、第１固定面１２ａと第２固定面２３ａとが溶着されるように形成され、第１ケース１０には係止部（側板１１Ｂの）が設けられ、第２ケース２０には、係止部と係止可能な被係止部（ストッパ突起２６）が設けられ、係止部及び被係止部は、第１ケース１０及び第２ケース２０を固定方向にスライドさせるときには、第１固定面１２ａと第２固定面２３ａとの間に隙間があることにより互いに干渉せず、第１ケース１０及び第２ケース２０を組み合わせ第１固定面と第２固定面２３ａとを溶着することにより互いに係止可能な位置となって、第１ケース１０及び第２ケース２０の固定解除方向への移動を規制可能に形成されている。このように形成することにより、第１固定部１２と第２固定部２２を溶着する作業中や基板ケースが完成した後の第１ケース１０又は第２ケース２０の変形を防止することができる。
【００１１】
また、カバー部材３０は、凹状の第２固定部２２に嵌め込み可能に形成され、カバー固定面と第２カバー固定面とが溶着された状態で、カバー部材３０の外面が、第２ケース２０の外面よりも外側に突出しないように形成されている。このように形成することにより、カバー部材３０を第２ケース２０から取り外すことが困難になる。
【発明の効果】
【００１２】
本発明は、以上のように構成されているので、不正な開封の痕跡が残るとともに不正な開封がより困難な基板ケースを提供することができる。
【図面の簡単な説明】
【００１３】
【図１】本発明の実施の形態であって、スロットマシンの外観正面図である。
【図２】スロットマシンの前扉を開いた斜視図である。
【図３】本発明の実施の形態であって、サブ基板ケースの背斜視図である。
【図４】本発明の実施の形態であって、サブ基板ケースの背面図である。
【図５】本発明の実施の形態であって、サブ基板及び第１ケースの正面斜視図である。
【図６】本発明の実施の形態であって、第１ケースの部分拡大斜視図である。
【図７】本発明の実施の形態であって、サブ基板を装着した第１ケースの正面斜視図である。
【図８】本発明の実施の形態であって、サブ基板ケースの分解斜視図である。
【図９】本発明の実施の形態であって、第２ケースの部分拡大斜視図である。
【図１０】本発明の実施の形態であって、カバー部材の斜視図である。
【図１１】本発明の実施の形態であって、第１ケースと第２ケースを組み合わせる途中の斜視図である。
【図１２】本発明の実施の形態であって、第１ケースと第２ケースを組み合わせた斜視図である。
【図１３】図１２のIII−III線断面図である。
【図１４】図１２のIV−IV線断面図である。
【図１５】図４のＶ−Ｖ線断面図である。
【図１６】図４のVI−VI線断面図である。
【図１７】図４のVII−VII線断面図である。
【図１８】図４のVIII−VIII線断面図である。
【発明を実施するための形態】
【００１４】
本発明の好適な実施の形態を、遊技機としてスロットマシンを例に、図面に基づき説明する。なお、本明細書において、各構成部材の上下左右、前後（正面背面）の方向は、特に指定しない場合には、各構成部材をスロットマシンＳに取り付けた状態で、スロットマシンＳを正面（遊技者と対峙する前面）から見たときの方向を示すものである。
（スロットマシンＳ）
スロットマシンＳは、図１及び図２に示すように、大きく分けて、正面側に開口部を有する筐体Ｂと、筐体Ｂに開閉自在に取り付けられ筐体Ｂの開口部を閉塞可能な前扉Ｄとから構成されている。図２に示すように、筐体１の開口部の上部には、３個の回転リール５０を備えたリールユニット３と、メイン基板ユニット１が収納されており、開口部の下部には、電源装置５とホッパーユニット４が設置されている。
【００１５】
ここで、リールユニット３は、筐体１に着脱自在に形成されており、メイン基板ユニット１はリールユニット３の枠体に固定されている。リールユニット３は、３個の回転リール５０をそれぞれ回転させるためのリールモータを備えている。メイン基板ユニット１は、ＣＰＵ、ＲＯＭなど種々の電子部品を装着した制御基板であるメイン基板１Ｂを、メイン基板ケース１Ａに収納したものである。メイン基板１Ｂは、ＣＰＵがＲＯＭに記憶されたプログラムを読み込むことで、スロットマシンＳの遊技作動を制御する遊技制御装置として機能する。電源装置４は、スロットマシンＳの内部装置に電力を供給するためのものである。ホッパーユニット５は、遊技結果に応じてメダルを払い出すものであり、メダルを貯留する貯留部と、貯留部に貯留されているメタルを払い出す払い出し装置と、払い出し装置を作動させるためのホッパーモータを備えている。
【００１６】
前扉Ｄは、筐体Ｂの側板にヒンジを介して回転自在に軸支された板状の扉であり、図１に示すように、略中央部に回転リール５０を正面側から見ることができる図柄表示窓Ｗを有している。また、図柄表示窓Ｗの上方には画像表示部Ｐが設けられ、画像表示部Ｐの側方には発光表示部７が設けられているとともに、発光表示部７の上方にはスピーカ８が設けられている。ここで、画像表示部Ｐは、画像表示部Ｐの奥側に配置された液晶ユニット６（図２参照）の液晶画面６０を視認可能とする窓部である。発光表示部７は、図示しないＬＥＤなどの発光体を装着した発光体基板を、発光体の照射光を拡散するランプカバーで覆ったものである。スピーカ８は、スピーカ基板を備えた音声出力装置である。
【００１７】
前扉Ｄの高さ方向略中央部には、メダルを投入するためのメダル投入口Ｍ、回転リール５０を回転開始させるためのスタートレバーＳＬ、回転リール５０の回転を停止させるための３個のストップボタンＳＢが設けられている。また、前扉Ｄの下部には、メダルを貯めておくことができる下皿Ｃが形成されている。さらに、図２に示すように、前扉Ｄの裏面には、前記メダル投入口Ｍから投入されたメダルを誘導しながらメダルの真贋を判定するためのメダルセレクターＭＬが設けられている。メダルセレクターＭＬには、図示しないが、メダルの通過を検知するメダルセンサと、不適正なメダルが投入された場合やスロットマシンＳがメダルを受け付けない状態であるとき（例えば回転リール５０の回転中など）に、メダルがメダルセンサを通過する前にメダルセレクターＭＬの外部に排出するためのメダルキャンセル装置が設けられている。メダルセンサを通過したメダルは、ホッパーユニット４の貯留部に転送され、メダルキャンセル装置によりキャンセルされたメダルは、下皿Ｃに排出される。
【００１８】
また、前扉Ｄの裏面上部には、ＣＰＵ、ＲＯＭなど種々の電子部品を装着した制御基板であるサブ基板２Ｂ（図５参照）をサブ基板ケース２Ａ（図３参照）に内蔵したサブ基板ユニット２が設けられている。サブ基板２Ｂは、ＣＰＵがＲＯＭに記憶されたプログラムを読み込むことで、遊技に付随する演出を制御する演出制御装置として機能する。
スロットマシンＳは、スタートレバーＳＬの操作に伴い、メイン制御装置１Ｂが所定の図柄組合せが対応付けられた役について当選か否かの役抽選を行うとともに、リールユニット３を駆動させて回転リール５０の回転を制御し、役抽選の結果に基づいて、ストップボタンＳＢの操作に伴い回転リール５０の回転停止を制御する。そして、ストップボタンＳＢの操作に伴い回転リール５０が全て停止した時に、当選役に対応する図柄組合せが図柄表示窓Ｗの所定の有効ラインに表示された場合には、ホッパーユニット５から入賞に対応するメダルを払い出させたり、ボーナスゲームなどの有利遊技を開始させたりするようになっている。サブ基板２Ｂは、メイン基板１Ｂから信号やコマンドを入力して、液晶ユニット６や発光表示部７やスピーカ８による演出の実行を制御する。なお、メイン基板１Ｂからサブ基板２Ｂへは信号やコマンドを出力可能であるが、サブ基板２Ｂからメイン基板１Ｂへは信号やコマンドを出力できないようになっている。
【００１９】
（サブ基板ユニット２）
次に、サブ基板ユニット２について説明する。
サブ基板ユニット２は、図３及び図４に示すように、サブ基板２Ｂと、サブ基板２Ｂを覆うサブ基板ケース２Ａとから構成されている。サブ基板ケース２Ａは、サブ基板ユニット２をスロットマシンＳに取り付けたとき背面側に位置する第１ケース１０と、正面側に位置する第２ケース２０とから構成され、第１ケース１０及び第２ケース２０の間にサブ基板２Ｂを収納した状態で固定部２Ｃが溶着により固定されるとともに、さらに固定部２Ｃにカバー部材３０が溶着により固定されている。第１ケース１０、第２ケース２０及びカバー部材３０はいずれも、熱可塑性を有する合成樹脂製であり、少なくとも第１ケース１０は透明に形成されている。
【００２０】
（第１ケース１０）
第１ケース１０は、図５に示すように、背面板１１及び上下左右の側板（１１Ａ〜１１Ｄ）を有する正面側（図５における白矢印方向側）が開口した箱形のケースである。第１ケース１０の下側の側板１１Ｂには、下方に突出する板状の第１固定部１２が設けられているとともに、第１ケース１０の左右の側板１１Ｃ及び１１Ｄには、正面側に向かって突出する鉤形のフック１５が形成されている。第１固定部１２は、図５に示すように、左右方向に所定の間隔をあけて２個設けられ、フック１５は、側板１１Ｃ及び１１Ｄのそれぞれにおいて、上下方向に並んで２個ずつ設けられている。また、第１ケース１０の正面視左側の側板１１Ｄの内側（第１ケース１０の中心側）には、サブ基板２Ｂに装着されるコネクタ４０を内部に収納可能なコネクタ収納部１６が設けられ、側板１１Ｂにおいてコネクタ収納部１６の下方となる位置には、正面側が開口する切欠部１７が形成されている。
【００２１】
第１固定部１２は、後述する第２ケース２０の第２固定部２２（図８、図９参照）及びカバー部材３０とともに、第１ケース１０及び第２ケース２０を固定する固定部２Ｃを構成するものである。各第１固定部１２の中央部には、前後方向に貫通する円形の貫通孔１４が形成されているとともに、第１固定部１２の正面側の面である表面１２ａには、貫通孔１４を囲む長方形状に配置された突条１３が設けられている。突条１３は、正面側が頂点となる断面三角形状に形成されている（図１３参照）。また、図６に示すように、第１固定部１２の左右の側方には、表面１２ａよりも正面側に突出する立設部１２Ｂが上下方向にわたって形成されている。
【００２２】
ここで、本実施の形態では、サブ基板２Ｂは、図示しないネジを介して第１ケース１０に固定されるものとなっている。図５に示すように、サブ基板２Ｂの下側には複数のネジ穴ｑが設けられているとともに、第１ケース１０の下方には、サブ基板２Ｂを第１ケース１０の開口に収納したときネジ孔ｑと合致するネジボス１８が設けられている。サブ基板２Ｂは、電子部品が実装された基板面を第１ケース１０の背面板１１と対向させた状態で、第１ケース１０の正面側に固定される。サブ基板２Ｂを第１ケース１０に固定すると、図７に示すように、第１ケース１０の開口がサブ基板２Ｂによって塞がれるが、第１固定部１２とフック１５は表出したままになる。
【００２３】
また、サブ基板２Ｂを第１ケース１０に固定する際には、コネクタ４０にハーネス４１が接続された状態で取り付ける。具体的には、サブ基板２Ｂを第１ケース１０の適位置にセットすると、ネジボス１８とネジ孔ｑが一致するとともに、コネクタ４０がコネクタ収納部に収納される。そして、ハーネス４１は、第１ケース１０の下側の側板１１Ｂに形成された切欠部１７を介して、第１ケース１０の外側に導出することができるので、その状態でサブ基板２Ｂをネジで固定する（図７参照）。なお、コネクタ４０は、サブ基板２Ｂに搭載される電子部品と接続されており、ハーネス４１はメイン基板２Ｂと接続されるものである。
【００２４】
（第２ケース２０）
第２ケース２０は、図８に示すように、正面板２１及び上下左右の側板（２１Ａ〜２１Ｄ）を有する背面側（図８における白矢印方向側）が開口した箱形のケースである。第２ケース２０の下側には、第１ケース１０の第１固定部１２に対応する第２固定部２２が２個設けられているとともに、第２ケース２０の左右の側板２１Ｃ及び２１Ｄには、第１ケースのフック１５を上側から引っ掛けることができる係止片２５が、上下方向に並んで２個ずつ設けられている。
【００２５】
ここで、第２ケース２０の下側には、図８及び図９に示すように、正面板２１よりも背面側に突出した第１段部２１Ｅと、第１段部２１Ｅよりもさらに背面側に突出した第２段部２１Ｆとが形成されており、第２段部２１Ｆの上側の面及び背面側の面を凹ませて形成された第１段部２１Ｅの矩形の領域が第２固定部２２を形成している。すなわち、第２固定部２２は、上側及び背面側（第１ケース側）に開放部を有する凹状に形成されている。
また、第１段部２１Ｅの背面側の表面には、背面視左側の第２固定部２２よりも左側となる位置、及び背面視右側の第２固定部２２よりも右側となる位置に、ストッパ突起２６が形成されている。ストッパ突起２６は、第１ケース１０を固定したときに第１ケースの側板１１Ｂの端部を係止するためのものである。
【００２６】
第２固定部２２は、図８及び図９に示すように、第２ケース２０の第１段部２１Ｅの背面側の表面であって凹状の第２固定部２２の凹底部にあたる凹底面２１ｅから、背面側に突出して形成された背面視長方形状の台座部２３を備え、台座部２３の中央部には背面側が開口する円形の受け孔２４が形成されているとともに、台座部２３の下側には、横方向にわたって張出片２８が形成されている。台座部２３の厚さ（凹底面２１ｅからの突出幅）は、第２段部２１Ｆの厚さ（第１段部２１Ｅと第２段部２１Ｆの段差幅）よりも小さく、張出片２８は台座部２３よりも背面側に張り出すとともに、台座部２３の左右端部からも側方に張り出して形成されている。張出片２８の背面側への張出幅は、第２段部２１Ｆの厚さよりも小さく形成されている。また、第２固定部２２を形成する第２段部２１Ｆの凹部の縁には、角部を矩形に切り欠いた段差部である受け部２２Ａが形成されている。受け部２２Ａは、以下に述べるカバー部材３０を受けるためのものである。
【００２７】
（カバー部材３０）
カバー部材３０は、図８及び図１０に示すように、平板状のカバー板３１と、カバー板３１から正面側（図１０における白矢印方向）に張り出す方形枠状の側板３２とから構成されている。カバー板３１の正面には、第１固定部１２の貫通孔１４及び第２固定部２２の受け孔２４に挿入可能な円柱形のボス３４が形成されている。
また、側板３２の正面側の端面３２ａには、第１固定部１２の突条１３と同様の突条３３が形成されている。側板３２の正面上側には横方向にわたる切欠部３２Ａが設けられており、この部分には突条３３が形成されていない。また、カバー板３１の下側及び左右側は、側板３２から下方及び側方に張り出したフランジ部３１Ａを形成している。
【００２８】
（サブ基板ケース２Ｂの組み合わせ）
上記した構成を有するサブ基板ケース２Ｂの組み合わせ手順を説明する。
まず、図７に示すように、第１ケース１０にサブ基板２Ｂを固定し、第１固定部１２と第２固定部２２が同じ側に位置するように第１ケース１０の正面側と第２ケース２０の背面側（双方の開口部）を向かい合わせ、第１ケース１０のフック１５と第２ケース２０の係止片２５の位置合わせをした状態で、第１固定部１２と第２固定部２２が近づく方向（図１１の黒矢印方向）にスライドさせる。第１ケース１０と第２ケース２０を、固定するのに適正な固定位置までスライドさせると、図示しないが、フック１５が係止片２５に係止される。また、図１２に示すように、第１ケース１０が第２ケース２０の背面側の開口部を全て覆うが、第２ケース２０の第２段部２１Ｆと、第２固定部２２に重なった第１固定部１２とは表出している。また、この状態では、第１固定部１２の貫通孔１４と第２固定部２２の受け孔２４が合致している。なお、第１ケース１０の上側の側板１１Ａに形成された係止孔１９（図７参照）には、第２ケース２０の上側の側板２１Ａに形成された係止片２９（図８参照）が係止される。そして、第１ケース１０の側方下部から出ているハーネス４１（図７参照）は、図１８に示すように、第２ケース２０の第１段部２１Ｅと第２段部２１Ｆの段差面２１ｆ（図８、図９参照）に形成された凹部２７（図８参照）を介して、サブ基板ケース２Ｂの背面側に導出されている。
【００２９】
第１固定部１２及び第２固定部２２の固定状態の詳細を、図１３乃至図１７に基づいて説明する。なお、図１３は、図１２のIII−III線断面図を、図面上の下側が正面側となり、図面上の右側が下側となる向きにして表したものであり、図１４は、図１２のIV−IV線断面図を、図面上の下側が正面側となる向きにして表したものである。同様に、図１５は図４のＶ−Ｖ線断面図を、図面上の下側が正面側となり、図面上の右側が下側となる向きにして表したものであり、図１６は図４のVI−VI線断面図を、図面上の下側が正面側となる向きにして表したものである。また、図１７は、図４のVII−VII線断面図を、図面上の下側が正面側となり、図面上の右側が下側となる向きにして表したものである。
【００３０】
第１ケース１０と第２ケース２０を組み合わせた状態では、図１３に示すように、第１固定部１２の突条１３は、第２固定部２２の台座部２３の背面側（図面上は上側）の台座面２３ａに当接しており、第１固定部１２の表面１２ａと台座部２３の台座面２３ａとの間には隙間が生じている。また、第１固定部１２の下端部１２Ｄは張出片２８の上側（図面上は左側）に位置している。また、図１４に示すように、第１固定部１２の立設部１２Ｂは台座部２３の側方に位置しており、立設部１２Ｂの端面１２ｂと第２固定部２２の凹底面２１ｅとの間には隙間が生じている。そして、図１３及び１４に示すように、第１固定部１２の外周は、第２固定部２２の凹底面２１ｅを囲む立壁Ｒ（図９参照）によって覆われた状態となっている。さらに、図１７（Ａ）に示すように、第１ケース１０の下側（図面上は右側）の側板１１Ｂは、第２ケース２０の第１段部２１Ｅと第２段部２１Ｆをつなぐ段差面２１ｆと、第１段部２１Ｅに設けられたストッパ突起２６との間に位置しており、側板１１Ｂの正面側（図面上は下側）の端面１１ｂは、ストッパ突起２６よりも背面側（図面上は上側）に位置している。
【００３１】
このような状態に組み合わされた第１ケース１０と第２ケース２０は、図示しない超音波溶着装置によって溶着される。超音波溶着装置は、電気信号を高周波電気エネルギーに変換超音波発振器と、高周波電気エネルギーによって振動する振動体と、振動体の振動エネルギーを溶着されるパーツに伝達する共鳴体Ｈ（図１３の二点鎖線参照）とを少なくとも備え、共鳴体Ｈを振動させつつ溶着部を押圧することにより、熱可塑性の合成樹脂の境界面に強力な摩擦熱を発生させ、樹脂を溶融させて溶着するものである。
ここで、本実施の形態においては、作業工程を簡素化すべく、二股の共鳴体Ｈを用いて２個の固定部２Ｃを同時に溶着させる手法を採用している。すなわち、先端が２つに分かれた共鳴体Ｈを振動体に接続し、共鳴体Ｈの２つの先端部を同時に振動させて溶着作業を行う。具体的には、サブ基板ケース２Ａの正面を下側にして超音波溶着装置にセットし、２個の第１固定部１２の表面１２ａの反対側の面である裏面１２ｃ（セットした状態では上面となる面）のそれぞれに共鳴体Ｈを配置して、超音波溶着装置を作動させる。
【００３２】
共鳴体Ｈを加圧振動させることにより、台座部２３の表面２３ａに当接している突条１３が溶解し、図１５に示すように、第１固定部１２の表面１２ａと台座部２３の台座面２３ａが溶着されて密着する。この状態では、第１固定部１２の下端部１２Ｄが張出片２８によって下側（図面上は右側）から覆われ、第２固定部の台座部２３が第１固定部１２の立設部１２Ｂによって側方から覆われるようになっている（図１６参照）すなわち、張出片２８及び立設部１２Ｂが第１固定部１２の表面１２ａと台座部２３の台座面２３ａの溶着部分に対する返し構造となり、溶着部分への針金等の異物侵入が困難になる。
また、突条１３が溶解することにより、第１ケース１０と第２ケース２０の接合面の隙間がなくなり、図１７（Ｂ）に示すように、第１ケース１０の側板１１Ｂの端面１１ｂが、ストッパ突起２６よりも正面側（図面上は下側）に位置するものとなる。すなわち、ストッパ突起２６と側板１１Ｂの端部とが互いに係止可能となり、第１ケース１０の側板１１Ｂの上方向（図面上は左方向）への変形、もしくは第２ケース２０の側板２１Ｂの下方向（図面上は右方向）への変形を阻止するものとなる。
【００３３】
さて、第１固定部１２と第２固定部２２を溶着した後、第２固定部２２にカバー部材３０を取り付ける。カバー部材３０を取り付けた状態では、図１５及び図１６に示すように、カバー板３１が第２固定部の背面側の開放部を塞いでいるとともに、側板３２が第１固定部１２と立壁Ｒとの間に嵌まり込んで第１固定部１２の周囲を囲んでいる。また、図１５及び図１６に二点鎖線で示すように、カバー部材３０の側板３２に設けられた突条３３は、第２固定部２２の凹底面２１ｅに当接しており、側板３２の切欠部３２Ａと第１固定部１２の裏面１２ｃとの間には隙間が生じている。また、カバー部材３０のボス３４が第１固定部１２の貫通孔１４を通って第２固定部の受け孔２４の途中まで挿入され、カバー板３１のフランジ部３１Ａと第２固定部２２の受け部２２Ａとの間には隙間が生じている。さらに、カバー板３１のカバー面３１ａは、第２ケース２０の第２段部２１Ｆよりも外側（サブ基板ケース２Ａの内部側と反対の方向。図面上は上側）に突出している。
【００３４】
そして、第２固定部２２にカバー部材３０を取り付けた状態で、上述したように、カバー板３１のカバー面３１ａに超音波溶着装置の共鳴体Ｈを配置し、超音波溶着装置を作動させる。これにより、凹底面２１ｅに当接している突条３３が溶解し、図１５に実線で示すように、凹底面２１ｅと側板３２の端面３２ａが隙間なく溶着される。この状態では、側板３２の切欠部３２Ａと第１固定部１２の裏面１２ｃとがほぼ隙間なく当接し、第１ケース１０の側板１１Ｂとカバー板３１との隙間からカバー部材３０の内部側（溶着部分がある側）へのアクセスが困難となる。また、カバー部材３０のボス３４が受け孔２４の奥まで挿入され、ボス３４による第１固定部１２及び第２固定部２２の固定、ひいては第１ケース１０及び第２ケース２０が強固なものとなる。また、カバー板３１のフランジ部３１Ａが第２固定部２２の受け部２２Ａに嵌まり込むことにより、フランジ部３１Ａ及び受け部２２Ａがカバー部材３０の内部側に対する返し構造となり、針金等の異物の侵入が困難になる。さらに、カバー板３１のカバー面３１ａは、第２ケース２０の第２段部２１Ｆと面一かもしくは第２段部２１Ｆよりも内側に凹んだ状態となるので、カバー部材３０の取り出しが困難になる。
（まとめ）
以上のように、本実施の形態においては、サブ基板ケース２Ａの固定部Ｃ（第１固定部１２及び第２固定部２２及びカバー部材としてのカバー部材３０）における固定方法として超音波溶着を採用しているので、固定が解除された場合に接合されている双方の部材にその痕跡を残すことができる。例えば、カバー部材３０を取り外した場合には、カバー部材３０と第２固定部２２の溶着面（側板３２の端面３２ａと凹底面２１ｅ）の双方が破壊されてその痕跡が残り、第１固定部１２を第２固定部２２から引き剥がした場合には、第１固定部１２と第２固定部２２の溶着面（表面１２ｃ及び台座面２３ａ）の双方が破壊されてその痕跡が残る。これにより、複数の製品（サブ基板ケース２Ａ）を破壊して分解し、破壊されていない構成部品（第１ケース１０又は第２ケース２０又はカバー部材３０）を用いて１つの製品を形成する不正行為を効果的に防止することができる。
【００３５】
また、本実施の形態においては、凹状の第２固定部２２に板状の第１固定部１２を嵌め込む構成としてあるので、基板ケース２Ａの組み立て作業において、第１固定部１２が第２固定部２２の適正な位置に納まったかを一見して判断することができる。また、第１固定部１２の貫通孔１４及び第２固定部２２の受け孔２４にカバー部材３０のボス３４（貫通突起）を挿入させてあるので、第１固定部１２と第２固定部２２をより堅固に固定することができるとともに、位置決めも容易となる。
また、第１固定部１２は第２固定部２２の凹底面２１ｅを囲む立壁Ｒによって外周を覆われることから、第１固定部１２と第２固定部の接合面に薄い刃物等を差し込んで溶着部分の接合を解除するといった行為を困難にしている。これに加え、第２固定部２２（凹底面２１ｅ）に溶着されているカバー部材３０の側板３２（囲い部）が、第１固定部１２の周囲（側方及び下方）を囲んで、第１固定部１２と第２固定部２２の溶着部分（第１固定面としての表面１２ａ及び第２固定面としての台座面２３a）を覆い、かつカバー板３１が第１固定部１２を外側（背面側）から覆っているので、カバー部材３０を取り外さないと第１固定部１２と第２固定部２２の溶着部分にアクセスできない。
【００３６】
しかも、カバー部材３０のカバー板３１は第２固定部２２の受け部２２Ａに嵌まり込んで返し構造を形成しているとともに、カバー部材３０の側板３２の端面３２ａ（カバー固定面）と第２固定部２２の凹底面２１ｅ（第２カバー固定部）とを溶着した状態で、カバー板３１のカバー面３１ａ（カバー部材の外面）が第２ケース２０の第２段部２１Ｆ（第２ケースの外面）から突出しないようにしてあるので、取り出すための手掛かりが無いカバー部材３０の取り外し自体も容易でなく、第１固定部１２と第２固定部２２の溶着部分へのアクセスをより困難にしている。さらに、カバー部材３０を取り外したり破壊したとしても、第１固定部１２と第２固定部２２の溶着部分は、第１固定部１２の立設部１２Ｂと第２固定部２２の張出片２８による返し構造により保護されているので、第１固定部１２と第２固定部２２の固定を、第１ケース１０又は第２ケース２０のいずれか一方に破壊跡を残さずに解除することは、容易にできるものではない。
【００３７】
さらに、本実施の形態においては、サブ基板２Ｂに固定されたコネクタ４０（接続部材）が第１ケース１０のコネクタ収納部１６に収納された状態で、サブ基板２Ｂを第１ケース１０に固定することにより、ハーネス４１（電気的接続結線）とコネクタ４０の接続部分を第１ケース１０とサブ基板２Ｂの間に封じ込め、ハーネス４１のみをサブ基板２Ｂの外部に導出させようにしている。このように形成することにより、第１ケース１０と第２ケース２０とが溶着固定されている状態では、コネクタ４０をサブ基板２Ｂから取り外すことは不可能となり、サブ基板２Ｂとメイン基板１Ｂとを電気的に接続する重要なコネクタ４０の不正な着脱を防止することができる。
【００３８】
ところで、本実施の形態では、サブ基板ケース２Ａに２個の固定部２Ｃを形成してあり、第１固定部１２と第２固定部２２とを溶着させた後、カバー部材３０の溶着を行う関係上、作業工程を簡素化するために、二股の共鳴体Ｈを用いて２個の固定部２Ｃを同時に溶着させている。ここで、二股の共鳴体Ｈの２つの先端部（溶着対象に当接する部分）の間が離れすぎていると好適な加圧振動を与えられないので、設定可能な２つの先端部の距離には限度がある。一方、サブ基板ケース２Ａの横幅寸法に対して、２個の固定部２Ｃの設置位置を適正に設定しないと、固定部２Ｃから離れた部分の固定力が弱くなってしまう。すなわち、共鳴体Ｈの２つの先端部の距離を、強度を維持できる最適な２個の固定部２Ｃの距離に設定できない場合には、サブ基板ケース２Ａの変形が懸念される。特に、第２ケース２０の第２段部２１Ｆは第１ケース１０と重なっておらず剥き出しになっているので、例えば固定部２Ｃの溶着作業中（共鳴体Ｈによる圧縮中）において、あるいは基板ケース２Ａが完成している状態で、第２ケース２０の下側の側板２１Ｂ（図１３、１７等）を下側（図１３等における右側）に引っ張ると、側板２１Ｂの固定部２Ｃから離れた隅角部が撓んで第２ケース２０が変形し、変形が大きい場合には、第１ケース１０のフック１５が第２ケース２０の係止片２５から外れてしまうおそれがある（前後方向、すなわち図１３等における上下方向へは、フック１５と係止片２５の係止力により変形しにくい）。
この点、本実施の形態では、第１固定部１２と第２固定部２２を溶着固定すると第１カバー１０の側板１１Ｂ（係止部）に係止可能となるストッパ突起２６（被係止部）を設けてあるので、第２ケース２０の下方向への変形を防止でき、組み立て作業中のサブ基板ケース２Ａの損傷を防ぐとともに、サブ基板ケース２Ａの不正な開封を阻止することができる。
【００３９】
なお、本実施の形態では、第１固定部１２の表面１２ａに突条１３を設けていたが、第２固定部２２の台座部２３の台座面２３ａに表面１２ａと当接可能な突条を設けてもよい。また、カバー部材３０の側板３２の端面３２ａに突条３３を設けていたが、第２固定部２２の凹底面２１ｅに端面３２ａと当設可能な突条を設けてもよい。
また、本実施の形態では、第１ケース１０にフック１５を設け、第２ケース２０に係止片２５を設けてあったが、第１ケース１０に係止片を設け、第２ケース２０にフックを設けてもよい。
また、本実施の形態では、第２ケース２０に被係止部としてのストッパ突起２６を設けてあったが、第１ケース１０に係止部としてのストッパ突起を設けてもよい。例えば、第２ケース２０の第１段部２１Ｅに被係止部としての凹部を設け、第１ケースの側板１１Ｂの端部にストッパ突起を設け、第１固定部１２と第２固定部２２を溶着固定すると側板１１Ｂの端部のストッパ突起が第１段部２１Ｅの凹部に挿入され、互いに係止可能となるように形成してもよい。
【００４０】
（変形例）
上記した実施の形態では、第１ケース１０と第２ケース２０を、サブ基板２Ｂの基板面と平行な方向にスライドさせて接合していたが、第１ケース１０と第２ケース２０をサブ基板２Ｂの基板面に直行する方向に合わせて接合するようにしてもよい。あるいは、固定部２Ｃの反対側の側面側にヒンジ部を設け、第１ケース１０又は第２ケース２０を回動させて接合するようにしてもよい。このように形成した場合には、第２固定部２２にボスを設け、カバー部材３０に受け孔を設けてもよい。また、ボス及びボスを挿通させる貫通孔や受け孔は複数あってもよく、それらを溶着面（第１固定部１２の表面１２ａ及び第２固定部２２の台座面２３ａ）以外の場所に設けてもよい。
【００４１】
また、カバー部材３０の第２ケース２０への固定方法は、上記した実施の形態の態様に限られない。例えば、カバー板３１のフランジ部３１Ａを第２固定部２２の受け部２２Ａに溶着してもよい。あるいは、ボス３４の先端を第２固定部２２の受け孔２４に溶着してもよい。さらには、カバー板３１のフランジ部３１Ａを第２ケース２０の第２段部２１Ｆの表面に溶着してもよい。要は、カバー部材３０が第２ケース２０に装着された状態で第１固定部１２を外側から覆うとともに第２固定部２２の開放部を塞ぐように、第２ケース２０のいずれかの場所に溶着されるようになっていればよい。
また、コネクタ４０に接続されたハーネス４１の導出方法は、上記した実施の形態の態様に限られない。例えば、図示しないが、第１ケース１０の背面板１１に導出部としての開口部を設けてもよい。開口部の内寸を、コネクタ４０の外寸よりも小さくすれば、ハーネス４１を引っ張ってもコネクタ４０を抜き出すことはできない。あるいは、コネクタ４０をサブ基板２Ｂの裏面（正面側の面）に設けるとともにコネクタ収納部を第２カバー２０に設け、第２カバー２０の下側の側板２１Ｂに導出部（開口部又は切欠部）を設けてもよい。
【００４２】
なお、上記した実施の形態では、固定部２Ｃを基板ケース２Ａの下側に設けてあったが、固定部２Ｃを基板ケース２Ａの横側に設けてもよい。さらに、第１固定部１２及び第２固定部２２を、基板ケース２Ａにおいてサブ基板２Ｂの基板面と直交する面に設けてもよい。例えば、図示しないが、第１ケース１０及び第２ケース２０の側板に、背面側（図８における白矢印方向側）に張り出すとともに第１ケース１０と第２ケース２０を組み合わせた状態で重なり合う張出部を設け、この張出部を固定部としてもよい。
そして、サブ基板ケース２Ａの上記構成は、メイン基板ケースや、遊技機に設けられる他の制御基板を収納する基板ケースに応用することができる。
【符号の説明】
【００４３】
Ｓ  スロットマシン              ２Ａ  サブ基板ケース
２Ｂ  サブ基板（制御基板）        ２Ｃ  固定部
１０  第１ケース                  １１  背面板
１１Ｂ  側板（係止部）
１２  第１固定部                １２ａ  表面（第１固定面）
１３  突条（突起部）              １４  貫通孔
１６  コネクタ収納部              １７  切欠部（導出部）
２０  第２カバー                  ２１  正面板
２１Ｅ  第１段部                  ２１Ｆ  第２段部（第２ケースの外面）
２１ｅ  凹底面（第２カバー固定面）  ２２  第２固定部
２３ａ  台座面（第２固定面）        ２４  受け孔
２６  ストッパ突起（被係止部）    ２７  凹部（導出部）
３０  カバー部材                  ３１  背面板
３１ａ  カバー面（カバー部材の外面）
３２  側板（囲い部）            ３２ａ  端面（カバー固定面）
３３  突条（突起部）              ３４  ボス（貫通突起）
４０  コネクタ                    ４１  ハーネス（接続線）
【図１】
2016043158.tif 000003
【図２】
2016043158.tif 000004
【図３】
2016043158.tif 000005
【図４】
2016043158.tif 000006
【図５】
2016043158.tif 000007
【図６】
2016043158.tif 000008
【図７】
2016043158.tif 000009
【図８】
2016043158.tif 000010
【図９】
2016043158.tif 000011
【図１０】
2016043158.tif 000012
【図１１】
2016043158.tif 000013
【図１２】
2016043158.tif 000014
【図１３】
2016043158.tif 000015
【図１４】
2016043158.tif 000016
【図１５】
2016043158.tif 000017
【図１６】
2016043158.tif 000018
【図１７】
2016043158.tif 000019
【図１８】
2016043158.tif 000020